(57)【要約】【課題】  所定の設定条件を満たしたときにのみアップロード可能にするコンテンツデータ項目チェックシステムの提供。【解決手段】  複数のデータ項目からいずれかを指定するデータ項目指定手段と、コンテンツデータを指定するコンテンツデータ指定手段と、コンテンツデータ記憶手段と、コンテンツデータ編集手段と、コンテンツデータ表示手段と、サーバー装置にアップロードのための設定条件として記憶する設定条件記憶手段と、コンテンツデータが設定条件を満たしているか否かを判定する設定条件判定手段と、設定条件を満たしていると判定した場合にはコンテンツデータをサーバー装置に送信するコンテンツデータ送信手段とを備える。【選択図】  図１
2005326974.tif 000002
【特許請求の範囲】
【請求項１】
ウェブ上で閲覧可能な状態に記憶させるために作成されたコンテンツデータを編集するプログラムと、コンテンツデータを記憶する記憶領域とを備えたクライアント端末装置を含み構成されるシステムにおいて、
あらかじめ設定された複数のデータ項目からいずれかのデータ項目を指定するデータ項目指定手段と、
指定した前記データ項目に関連付けて記憶させるコンテンツデータを指定するコンテンツデータ指定手段と、
指定した前記コンテンツデータを前記データ項目ごとの所定の記憶領域に記憶させるコンテンツデータ記憶手段と、
前記データ項目ごとの所定の記憶領域に記憶されたコンテンツデータを編集するコンテンツデータ編集手段と、
前記データ項目ごとの所定の記憶領域に記憶されたコンテンツデータを表示させるコンテンツデータ表示手段と、
あらかじめ複数の所定データ項目に関連付けて記憶させるコンテンツデータをサーバー装置にアップロードのための設定条件として記憶する設定条件記憶手段と、
前記コンテンツデータ記憶領域に記憶されたコンテンツデータが、あらかじめ設定されたデータ項目の設定条件を満たしているか否かを判定する設定条件判定手段と、
前記設定条件判定手段が、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信手段とを備え、所定の設定条件を満たしたときにのみアップロード可能にすることを特徴とする、コンテンツデータ項目チェックシステム。
【請求項２】
前記データ項目は、法令または各種規則に基づき設定されたデータ項目であって、あらかじめ設定されたデータ項目の設定条件は、少なくとも法令に定められた要件に基づくチェック項目の適合性判定条件、または規則に定められた要件に基づくチェック項目の適合性判定条件を含むものであることを特徴とする、請求項１に記載のコンテンツデータ項目チェックシステム。
【請求項３】
前記データ項目は、宅地建物取引業法その他の不動産取引関連法令に基づき設定されたデータ項目であって、あらかじめ設定されたデータ項目の設定条件は、少なくとも前記不動産取引関連法規に定められた要件に基づくチェック項目の適合性判定条件を含むものであることを特徴とする、請求項２に記載のコンテンツデータ項目チェックシステム。
【請求項４】
前記データ項目は、消費者契約法・特定商取引法・証券取引法その他の消費者保護法令に基づき設定されたデータ項目であって、あらかじめ設定されたデータ項目の設定条件は、少なくとも前記消費者保護法令に定められた要件に基づくチェック項目の適合性判定条件を含むものであることを特徴とする、請求項２に記載のコンテンツデータ項目チェックシステム。
【請求項５】
前記データ項目は、不当景品類及び不当表示防止法・薬事法その他の広告表記規制法令に基づき設定されたデータ項目であって、あらかじめ設定されたデータ項目の設定条件は、少なくとも前記広告表記規制法令に定められた要件に基づくチェック項目の適合性判定条件を含むものであることを特徴とする、請求項２に記載のコンテンツデータ項目チェックシステム。
【請求項６】
前記データ項目指定手段は、前記コンテンツデータごとに関連付けが設定される、法令または各種規則に基づき設定された複数のデータ項目の内のいずれかのデータ項目を指定するものであって、前記コンテンツデータ指定手段は、指定されたデータ項目に対応した、複数のデータ形式またはデータ内容の内の少なくともいずれかから、いずれかのデータ形式またはデータ内容からなるコンテンツデータを選択または指定可能にされた、データ項目指定画面を表示させるものであることを特徴とする、請求項１〜５のいずれかに記載のコンテンツデータ項目チェックシステム。
【請求項７】
前記コンテンツデータ記憶手段は、指定された前記コンテンツデータを前記データ項目ごとの所定の記憶領域に記憶させることにより、複数の各コンテンツデータが送信されてサーバー装置が備える所定の記憶領域にアップロードされ、さらに当該各コンテンツデータへのハイパーリンクを含むコンテンツデータを生成して記憶するものであることを特徴とする、請求項１〜６のいずれかに記載のコンテンツデータ項目チェックシステム。
【請求項８】
前記コンテンツデータ編集手段は、テキストデータ、画像データ、音声データ、動画像データを編集可能にされたことを特徴とする、請求項１〜７のいずれかに記載のコンテンツデータ項目チェックシステム。
【請求項９】
前記コンテンツデータ編集手段は、前記データ項目ごとのコンテンツデータの編集をするためのデータ項目指定機能を備えたことを特徴とする、請求項１〜８のいずれかに記載のコンテンツデータ項目チェックシステム。
【請求項１０】
前記コンテンツデータ表示手段は、前記データ項目ごとのコンテンツデータの表示をさせるためのデータ項目指定機能を備えたことを特徴とする、請求項１〜９のいずれかに記載のコンテンツデータ項目チェックシステム。
【請求項１１】
前記設定条件判定手段が、あらかじめ設定された前記設定条件を満たしていないと判定した場合には、満たされていない設定条件に含まれるデータ項目を判定し表示することを特徴とする、請求項１〜１０のいずれかに記載のコンテンツデータ項目チェックシステム。
【請求項１２】
前記設定条件判定手段が、あらかじめ設定された前記設定条件を満たしていないと判定した場合には、満たされていない設定条件に含まれるデータ項目をごとのコンテンツデータの編集をするためのコンテンツ編集画面を表示することを特徴とする、請求項１〜１１のいずれかに記載のコンテンツデータ項目チェックシステム。
【請求項１３】
コンテンツデータを記憶する記憶領域とを備えたクライアント端末装置において操作することにより動作し、ウェブ上で閲覧可能な状態に記憶させるために作成されたコンテンツデータを編集するプログラムであって、
あらかじめ設定された複数のデータ項目からいずれかのデータ項目を指定するデータ項目指定機能と、
指定した前記データ項目に関連付けて記憶させるコンテンツデータを指定するコンテンツデータ指定機能と、
指定した前記コンテンツデータを前記データ項目ごとの所定の記憶領域に記憶させるコンテンツデータ記憶機能と、
前記データ項目ごとの所定の記憶領域に記憶されたコンテンツデータを編集するコンテンツデータ編集機能と、
前記データ項目ごとの所定の記憶領域に記憶されたコンテンツデータを表示させるコンテンツデータ表示機能と、
あらかじめ複数の所定データ項目に関連付けて記憶させるコンテンツデータをサーバー装置にアップロードのための設定条件として記憶する設定条件記憶機能と、
前記コンテンツデータ記憶領域に記憶されたコンテンツデータが、あらかじめ設定されたデータ項目の設定条件を満たしているか否かを判定する設定条件判定機能と、
前記設定条件判定において、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信機能とを備え、所定の設定条件を満たしたときにのみアップロード可能にすることを特徴とする、コンテンツ編集プログラム。
【請求項１４】
前記プログラムは、サーバー装置に記憶されており、コンテンツデータを記憶する記憶領域とを備えたクライアント端末装置において操作することにより動作するウェブアプリケーションプログラムであることを特徴とする、請求項１３に記載のコンテンツ編集プログラム。
【請求項１５】
前記プログラムは、クライアント端末装置に記憶されており、コンテンツデータを記憶する記憶領域とを備えたクライアント端末装置において操作することにより動作するアプリケーションプログラムであることを特徴とする、請求項１３に記載のコンテンツ編集プログラム。
【発明の詳細な説明】
【技術分野】
【０００１】
本発明は、コンテンツデータ項目チェックシステムに関する。
【背景技術】
【０００２】
従来より、インターネットの急激な普及に伴い、様々な企業や団体、個人などがウェブサイトを開設・運営し、ＨＴＭＬファイルやその他のテキスト、画像、音声、動画像などのデータの編集とウェブサーバーへのアップロードを行っている。
このため、簡単な操作でウェブコンテンツを作成、編集するためのいわゆるホームページ作成ソフトや、ウェブサーバーにアップロードするためのＦＴＰプログラムなどが開発され利用されている。
【発明の開示】
【発明が解決しようとする課題】
【０００３】
ところで、アップロードされたウェブコンテンツデータは、通常は不特定多数のユーザーがアクセス可能にされており、また会員制ページなど限られたユーザーがアクセス可能にされている場合にも、これらユーザーに対し何らかの情報を提供する。したがって、情報には正確性や、公正さなどが求められる。
たとえば、商品やサービスの提供、販売や、ウェブサイト上で有料サービスを提供する場合などにおいては、消費者ユーザーに誤解や、不正確な情報、不公正な情報、一方的に不利な情報などを与えることは望ましくない。
さらに、法令や各種の規則などによって、消費者ユーザーに提示することが義務付けられている情報や、誤った情報や不公正・誇大な情報の掲載を禁止されている情報など、あらかじめウェブコンテンツのアップロード前に厳格なチェックが必要とされることがある。一方、これらのチェックされた情報がウェブサイト上で提供できるのであれば、消費者ユーザーにとっても便利であるばかりでなく、情報を提供する側にとっても、費用や時間、手間などを節約でき便利になる。
しかしながら、こうしたアップロード前の事前のチェックは、従来は人手をかけて行っており、またチェックを行っても見過ごしや誤りが生じることは避けられなかった。
【０００４】
【特許文献１】特開２００３−３３１０３６号公報
【０００５】
特開２００３−３３１０３６「不動産物件に関する情報の提供システム〜」においては、不動産に関する情報を提供するシステムにおいて、不動産物件情報の基本情報のほかに、第三者機関が提供する付加情報を提供するもので、付加情報の中には、法令で説明が義務付けられている重要事項などが含まれている。しかしながら、上記発明はこうした情報の提示が義務付けられている重要事項を含むデータを検索するための単なるデータベース検索であって、アップロード前に事前チェックを行う場合には、従来と同様にオペレーターが手作業で操作をするものであり、チェックを行っても見過ごしや誤りが生じることは避けられず、誤り等があってもサーバーへのアップロード作業が行われてしまうものである。
【０００６】
そこで、本発明においては、上記の様々な課題を解決し、商品やサービスの提供、販売や、ウェブサイト上で有料サービスを提供する場合などにおいて、消費者ユーザーに誤解や、不正確な情報、不公正な情報、一方的に不利な情報などを与えることを防ぐため、法令や各種の規則などによって消費者ユーザーに提示することが義務付けられている情報や、誤った情報や不公正・誇大な情報の掲載を禁止されている情報など、あらかじめアップロード前に厳格なチェックが必要とされているウェブコンテンツをアップロードする前に自動的にチェックされ、アップロードの可否を判定するシステムおよびプログラムを提供することを目的とする。
これにより、ユーザーにとっても、情報を提供する側にとっても、費用や時間、手間などを節約でき便利になるとともに、提供される情報の正確性や、公正さなどを高め信用を得られるようにすることを目的とする。
【課題を解決するための手段】
【０００７】
上記課題を解決するため、請求項１に記載の発明においては、
ウェブ上で閲覧可能な状態に記憶させるために作成されたコンテンツデータを編集するプログラムと、コンテンツデータを記憶する記憶領域とを備えたクライアント端末装置を含み構成されるシステムにおいて、
あらかじめ設定された複数のデータ項目からいずれかのデータ項目を指定するデータ項目指定手段と、
指定した前記データ項目に関連付けて記憶させるコンテンツデータを指定するコンテンツデータ指定手段と、
指定した前記コンテンツデータを前記データ項目ごとの所定の記憶領域に記憶させるコンテンツデータ記憶手段と、
前記データ項目ごとの所定の記憶領域に記憶されたコンテンツデータを編集するコンテンツデータ編集手段と、
前記データ項目ごとの所定の記憶領域に記憶されたコンテンツデータを表示させるコンテンツデータ表示手段と、
あらかじめ複数の所定データ項目に関連付けて記憶させるコンテンツデータをサーバー装置にアップロードのための設定条件として記憶する設定条件記憶手段と、
前記コンテンツデータ記憶領域に記憶されたコンテンツデータが、あらかじめ設定されたデータ項目の設定条件を満たしているか否かを判定する設定条件判定手段と、
前記設定条件判定手段が、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信手段とを備え、所定の設定条件を満たしたときにのみアップロード可能にする、コンテンツデータ項目チェックシステムであることを特徴としている。
【０００８】
また、上記課題を解決するため、請求項２に記載の発明においては、
前記データ項目は、法令または各種規則に基づき設定されたデータ項目であって、あらかじめ設定されたデータ項目の設定条件は、少なくとも法令に定められた要件に基づくチェック項目の適合性判定条件、または規則に定められた要件に基づくチェック項目の適合性判定条件を含む、請求項１に記載のコンテンツデータ項目チェックシステムであることを特徴としている。
【０００９】
また、上記課題を解決するため、請求項３に記載の発明においては、
前記データ項目は、宅地建物取引業法その他の不動産取引関連法令に基づき設定されたデータ項目であって、あらかじめ設定されたデータ項目の設定条件は、少なくとも前記不動産取引関連法規に定められた要件に基づくチェック項目の適合性判定条件を含むものである、請求項２に記載のコンテンツデータ項目チェックシステムであることを特徴としている。
【００１０】
また、上記課題を解決するため、請求項４に記載の発明においては、
前記データ項目は、消費者契約法・特定商取引法・証券取引法その他の消費者保護法令に基づき設定されたデータ項目であって、あらかじめ設定されたデータ項目の設定条件は、少なくとも前記消費者保護法令に定められた要件に基づくチェック項目の適合性判定条件を含む、請求項２に記載のコンテンツデータ項目チェックシステムであることを特徴としている。
【００１１】
また、上記課題を解決するため、請求項５に記載の発明においては、
前記データ項目は、不当景品類及び不当表示防止法・薬事法その他の広告表記規制法令に基づき設定されたデータ項目であって、あらかじめ設定されたデータ項目の設定条件は、少なくとも前記広告表記規制法令に定められた要件に基づくチェック項目の適合性判定条件を含む、請求項２に記載のコンテンツデータ項目チェックシステムであることを特徴としている。
【００１２】
また、上記課題を解決するため、請求項６に記載の発明においては、
前記データ項目指定手段は、前記コンテンツデータごとに関連付けが設定される、法令または各種規則に基づき設定された複数のデータ項目の内のいずれかのデータ項目を指定するものであって、前記コンテンツデータ指定手段は、指定されたデータ項目に対応した、複数のデータ形式またはデータ内容の内の少なくともいずれかから、いずれかのデータ形式またはデータ内容からなるコンテンツデータを選択または指定可能にされた、データ項目指定画面を表示させる、請求項１〜５のいずれかに記載のコンテンツデータ項目チェックシステムであることを特徴としている。
【００１３】
また、上記課題を解決するため、請求項７に記載の発明においては、
前記コンテンツデータ記憶手段は、指定された前記コンテンツデータを前記データ項目ごとの所定の記憶領域に記憶させることにより、複数の各コンテンツデータが送信されてサーバー装置が備える所定の記憶領域にアップロードされ、さらに当該各コンテンツデータへのハイパーリンクを含むコンテンツデータを生成して記憶する、請求項１〜６のいずれかに記載のコンテンツデータ項目チェックシステムであることを特徴としている。
【００１４】
また、上記課題を解決するため、請求項８に記載の発明においては、
前記コンテンツデータ編集手段は、テキストデータ、画像データ、音声データ、動画像データを編集可能にされた、請求項１〜７のいずれかに記載のコンテンツデータ項目チェックシステムであることを特徴としている。
【００１５】
また、上記課題を解決するため、請求項９に記載の発明においては、
前記コンテンツデータ編集手段は、前記データ項目ごとのコンテンツデータの編集をするためのデータ項目指定機能を備えた、請求項１〜８のいずれかに記載のコンテンツデータ項目チェックシステムであることを特徴としている。
【００１６】
また、上記課題を解決するため、請求項１０に記載の発明においては、
前記コンテンツデータ表示手段は、前記データ項目ごとのコンテンツデータの表示をさせるためのデータ項目指定機能を備えた、請求項１〜９のいずれかに記載のコンテンツデータ項目チェックシステムであることを特徴としている。
【００１７】
また、上記課題を解決するため、請求項１１に記載の発明においては、
前記設定条件判定手段が、あらかじめ設定された前記設定条件を満たしていないと判定した場合には、満たされていない設定条件に含まれるデータ項目を判定し表示する、請求項１〜１０のいずれかに記載のコンテンツデータ項目チェックシステムであることを特徴としている。
【００１８】
また、上記課題を解決するため、請求項１２に記載の発明においては、
前記設定条件判定手段が、あらかじめ設定された前記設定条件を満たしていないと判定した場合には、満たされていない設定条件に含まれるデータ項目をごとのコンテンツデータの編集をするためのコンテンツ編集画面を表示する、請求項１〜１１のいずれかに記載のコンテンツデータ項目チェックシステムであることを特徴としている。
【００１９】
また、上記課題を解決するため、請求項１３に記載の発明においては、
コンテンツデータを記憶する記憶領域とを備えたクライアント端末装置において操作することにより動作し、ウェブ上で閲覧可能な状態に記憶させるために作成されたコンテンツデータを編集するプログラムであって、
あらかじめ設定された複数のデータ項目からいずれかのデータ項目を指定するデータ項目指定機能と、
指定した前記データ項目に関連付けて記憶させるコンテンツデータを指定するコンテンツデータ指定機能と、
指定した前記コンテンツデータを前記データ項目ごとの所定の記憶領域に記憶させるコンテンツデータ記憶機能と、
前記データ項目ごとの所定の記憶領域に記憶されたコンテンツデータを編集するコンテンツデータ編集機能と、
前記データ項目ごとの所定の記憶領域に記憶されたコンテンツデータを表示させるコンテンツデータ表示機能と、
あらかじめ複数の所定データ項目に関連付けて記憶させるコンテンツデータをサーバー装置にアップロードのための設定条件として記憶する設定条件記憶機能と、
前記コンテンツデータ記憶領域に記憶されたコンテンツデータが、あらかじめ設定されたデータ項目の設定条件を満たしているか否かを判定する設定条件判定機能と、
前記設定条件判定において、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信機能とを備え、所定の設定条件を満たしたときにのみアップロード可能にする、コンテンツ編集プログラムであることを特徴としている。
【００２０】
また、上記課題を解決するため、請求項１４に記載の発明においては、
前記プログラムは、サーバー装置に記憶されており、コンテンツデータを記憶する記憶領域とを備えたクライアント端末装置において操作することにより動作するウェブアプリケーションプログラムである、請求項１３に記載のコンテンツ編集プログラムであることを特徴としている。
【００２１】
また、上記課題を解決するため、請求項１５に記載の発明においては、
前記プログラムは、クライアント端末装置に記憶されており、コンテンツデータを記憶する記憶領域とを備えたクライアント端末装置において操作することにより動作するアプリケーションプログラムである、請求項１３に記載のコンテンツ編集プログラムであることを特徴としている。
【発明の効果】
【００２２】
本発明によれば、商品やサービスの提供、販売や、ウェブサイト上で有料サービスを提供する場合などにおいて、消費者ユーザーに誤解や、不正確な情報、不公正な情報、一方的に不利な情報などを与えることを防ぐため、法令や各種の規則などによって消費者ユーザーに提示することが義務付けられている情報や、誤った情報や不公正・誇大な情報の掲載を禁止されている情報など、あらかじめアップロード前に厳格なチェックが必要とされているウェブコンテンツをアップロードする前に自動的にチェックされ、アップロードの可否を判定するシステムおよびプログラムを提供することができる。
これにより、ユーザーにとっても、情報を提供する側にとっても、費用や時間、手間などを節約でき便利になるとともに、提供される情報の正確性や、公正さなどを高め信用を得られるようにすることができる。
【発明を実施するための最良の形態】
【００２３】
以下、本発明の実施の形態について図面を参照して説明する。
図１は、本発明のシステムの基本的な構成の一例を示すシステム構成図である。
本発明のシステムは、ウェブ上で閲覧可能な状態に記憶させるために作成されたコンテンツデータを編集するプログラムと、コンテンツデータを記憶する記憶領域とを備えたクライアント端末装置を含み構成されるシステムであって、下記の構成を備える。
【００２４】
本発明のシステムにおいて用いられるクライアント端末装置としては、通常、パーソナルコンピュータやワークステーションなどのコンピュータ端末が用いられる。この他、クライアント端末装置には、インターネット等に接続可能なブラウザ機能を搭載した携帯電話をはじめとする無線通信端末、携帯情報端末や、インターネットＴＶ、ゲーム機器、テレビ会議システム、その他のネットワーク接続機能を備えた家電製品などの機器を広く含むようにしてもよい。コンピュータ端末は、制御手段、記憶手段、入力手段、出力手段、表示手段などを備える。またインターネットに代表されるコンピュータネットワークに接続し、データの送受信を行う機能を備え、ブラウザや電子メールソフトウェア、ワードプロセッサなどのアプリケーションプログラムや、オペレーティングシステム（ＯＳ）を備えることが通常の形態である。
【００２５】
クライアント端末からアクセスするサーバーは、インターネットに代表されるネットワークに接続されてる。ネットワークには、通常はインターネットが想定されるが、その他にも専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた形態を含むようにしてもよい。
【００２６】
サーバーは、少なくともウェブコンテンツを記憶するウェブサーバーを含み、アプリケーションサーバー、データベースサーバー、認証サーバー、その他必要に応じメールサーバー、その他の各種装置により構成することができる。これらの各サーバーは、物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。
ウェブサーバーは、クライアント端末装置からアクセスするためのコンテンツデータ及びプログラムを記憶する。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。また、これらのファイルに挿入されるなどして表示又は出力される、文字データファイル、音声データファイル、画像データファイル、動画像データファイル、アニメーションデータファイル，その他の様々なコンテンツデータを記憶することができる。
【００２７】
本発明のシステムは、クライアント端末装置において、ウェブ上で閲覧可能な状態に記憶させるために作成されたコンテンツデータを編集するプログラムと、コンテンツデータを記憶する記憶領域とを備えている。
なお、クライアント端末装置のハードディスクに備えられる形態のほか、クライアント端末装置に接続されたハードディスクなどの外部記憶装置、ＣＤ−ＲＯＭやＤＶＤなどの外部記憶メディア、クライアント端末装置とローカル・ネットワークで接続された他のクライアント端末装置などに備えられていてもよい。
【００２８】
ウェブ上で閲覧可能な状態に記憶させるために作成されたコンテンツデータを編集するための前記プログラムは、クライアント端末装置に記憶されており、コンテンツデータを記憶する記憶領域とを備えたクライアント端末装置において操作することにより動作するアプリケーションプログラムであってもよい。アプリケーションプログラムは、後述する各機能を備え、クライアント端末においてコンテンツデータの編集、アップロードまでを行うためのものである。
【００２９】
一方、ウェブ上で閲覧可能な状態に記憶させるために作成されたコンテンツデータを編集するための前記プログラムは、サーバー装置に記憶されており、コンテンツデータを記憶する記憶領域とを備えたクライアント端末装置において操作することにより動作するウェブアプリケーションプログラムであってもよい。この場合には、ウェブアプリケーションプログラムを備えたサーバー装置にアクセスし、当該アプリケーションプログラムを起動させ、クライアント端末においてにおいてコンテンツデータの編集、アップロードまでを行うために動作する。
サーバー装置から、当該アプリケーションプログラムをダウンロード可能にして、ダウンロードしたプログラムをクライアント端末装置にインストール可能にすることも好ましい。
図２は、プログラムをダウンロード、または情報記憶媒体で提供可能にした概要の一例を示す図である。
【００３０】
コンテンツデータを記憶する記憶領域とを備えたクライアント端末装置において操作することにより動作し、ウェブ上で閲覧可能な状態に記憶させるために作成されたコンテンツデータを編集するプログラムは、下記の機能を備える。
あらかじめ設定された複数のデータ項目からいずれかのデータ項目を指定するデータ項目指定機能と、指定した前記データ項目に関連付けて記憶させるコンテンツデータを指定するコンテンツデータ指定機能と、指定した前記コンテンツデータを前記データ項目ごとの所定の記憶領域に記憶させるコンテンツデータ記憶機能とを備えている。
また、前記データ項目ごとの所定の記憶領域に記憶されたコンテンツデータを編集するコンテンツデータ編集機能と、前記データ項目ごとの所定の記憶領域に記憶されたコンテンツデータを表示させるコンテンツデータ表示機能とを備えている。
さらに、あらかじめ複数の所定データ項目に関連付けて記憶させるコンテンツデータをサーバー装置にアップロードのための設定条件として記憶する設定条件記憶機能と、前記コンテンツデータ記憶領域に記憶されたコンテンツデータが、あらかじめ設定されたデータ項目の設定条件を満たしているか否かを判定する設定条件判定機能と、前記設定条件判定において、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信機能とを備えている。
これらの各機能については後述する。
図３は、コンテンツ編集機能と、さらにコンテンツ表示・閲覧機能コンテンツ編集プログラムとを備えたプログラムの概要を示す図である。
また、図４から図８は、コンテンツ編集プログラムの実施形態の好ましい一例を示す画面イメージ図である。
【００３１】
初めに、本発明のシステムは、あらかじめ設定された複数のデータ項目からいずれかのデータ項目を指定するデータ項目指定手段を備えている。
データ項目指定手段は、前記コンテンツデータごとに関連付けが設定される、法令または各種規則に基づき設定された複数のデータ項目の内のいずれかのデータ項目を指定するものであって、前記コンテンツデータ指定手段は、指定されたデータ項目に対応した、複数のデータ形式またはデータ内容の内の少なくともいずれかから、いずれかのデータ形式またはデータ内容からなるコンテンツデータを選択または指定可能にされている。
【００３２】
図４および図５においては、本発明のシステムを不動産物件検索ウェブサイトのウェブコンテンツ編集に利用するために、物件概要、設備概要、仕上表、敷地配置図、平面図、間取り、交通などの説明項目や、写真、地図、音声データなどのデータ項目を指定可能にした一例が示されている。
データ項目指定手段は、クライアント端末装置に備えられたアプリケーションプログラムの入力画面などを用いて、複数のデータ項目からいずれかのデータ項目を指定するものである。データ項目の指定は、複数の選択肢の中からチェックをしたり、選択をして指定したり、選択ボタンをクリック等したり、その他の方法により指定をするものである。
【００３３】
また、コンテンツ編集プログラムがサーバー装置に備えられたウェブアプリケーションプログラムであるときは、データ項目指定手段は、クライアント端末装置においてサーバー装置にアクセスし起動された当該ウェブアプリケーションプログラムの入力画面などを用いて、複数のデータ項目からいずれかのデータ項目を指定するものである。データ項目の指定は、複数の選択肢の中からチェックをしたり、選択をして指定したり、選択ボタンをクリック等したり、その他の方法により指定をするものである。
【００３４】
また、プログラムが備える機能として、初めに第一のデータ項目について後述するコンテンツ指定を行う画面が表示され、次いで次の第二のデータ項目についてコンテンツ指定を行う画面が表示され、同様にして次のデータ項目についてコンテンツ指定を行う画面が表示されるといったように、あらかじめプログラムの仕様として、複数のデータ項目の内のあらかじめいずれかのデータ項目が指定されている形態を採用することもできる。
【００３５】
次に、データ項目について説明する。
本発明のシステムは、ウェブ上に公開されるコンテンツデータについて、複数のデータ項目について適合性のあることを自動的に判定し、当該適合性の判定がなされない限り、アップロードして公開することができないものである。
このため、適合性判定を行う複数のチェック項目があらかじめ設定される。
【００３６】
データ項目の代表的な例として想定されるものは、法令または各種規則に基づき設定されたデータ項目である。複数のデータ項目について適合性のあることを自動的に判定するために、あらかじめ設定されたデータ項目の設定条件は、少なくとも法令に定められた要件に基づくチェック項目の適合性判定条件、または規則に定められた要件に基づくチェック項目の適合性判定条件を含むものである。
【００３７】
好ましい一例として、本発明のシステムが想定する形態としては、前記データ項目は、宅地建物取引業法その他の不動産取引関連法令に基づき設定されたデータ項目であって、あらかじめ設定されたデータ項目の設定条件は、少なくとも前記不動産取引関連法規に定められた要件に基づくチェック項目の適合性判定条件を含むものである。
【００３８】
また、別の好ましい一例として、本発明のシステムが想定する形態としては、前記データ項目は、消費者契約法・特定商取引法・証券取引法その他の消費者保護法令に基づき設定されたデータ項目であって、あらかじめ設定されたデータ項目の設定条件は、少なくとも前記消費者保護法令に定められた要件に基づくチェック項目の適合性判定条件を含むものである。
【００３９】
また、別の好ましい一例として、本発明のシステムが想定する形態としては、前記データ項目は、不当景品類及び不当表示防止法・薬事法その他の広告表記規制法令に基づき設定されたデータ項目であって、あらかじめ設定されたデータ項目の設定条件は、少なくとも前記広告表記規制法令に定められた要件に基づくチェック項目の適合性判定条件を含むものである。
【００４０】
次に本発明のシステムは、指定した前記データ項目に関連付けて記憶させるコンテンツデータを指定するコンテンツデータ指定手段を備えている。
コンテンツデータ指定手段は、クライアント端末装置に備えられたアプリケーションプログラムの入力画面などを用いて、あらかじめ作成されクライアント端末装置または外部記憶装置等に記憶されているいずれかのコンテンツデータのデータファイルを指定するものである。データファイルの指定は、複数の選択肢の中から選択をして指定したり、その他の方法により指定をするものである。また、この際に、コンテンツデータの新規作成を選択し、作成する新規コンテンツデータのファイル名やクライアント端末装置または外部記憶装置における記憶場所のパスを指定することを可能にしてもよい。作成する新規コンテンツのファイル名や記憶場所のパスを指定し、コンテンツデータの新規編集を行えるようにすることができる。
【００４１】
また、コンテンツ編集プログラムがサーバー装置に備えられたウェブアプリケーションプログラムであるときは、コンテンツデータ指定手段は、クライアント端末装置においてサーバー装置にアクセスし起動された当該ウェブアプリケーションプログラムの入力画面などを用いて、あらかじめ作成されクライアント端末装置または外部記憶装置等に記憶されているいずれかのコンテンツデータのデータファイルを指定するものである。データファイルの指定は、複数の選択肢の中から選択をして指定したり、その他の方法により指定をするものである。また、この際に、コンテンツデータの新規作成を選択し、作成する新規コンテンツデータのファイル名やクライアント端末装置または外部記憶装置における記憶場所のパスを指定することを可能にしてもよい。作成する新規コンテンツのファイル名や記憶場所のパスを指定し、コンテンツデータの新規編集を行えるようにすることができる。
【００４２】
次に本発明のシステムは、指定した前記コンテンツデータを前記データ項目ごとの所定の記憶領域に記憶させるコンテンツデータ記憶手段を備えている。
コンテンツデータ記憶手段は、指定された前記コンテンツデータを前記データ項目ごとの所定の記憶領域に記憶させることにより、複数の各コンテンツデータが送信されてサーバー装置が備える所定の記憶領域にアップロードされ、さらに当該各コンテンツデータへのハイパーリンクを含むコンテンツデータを生成して記憶するものである。
コンテンツ記憶手段は、クライアント端末装置またはこれに接続されて備えられた外部記憶装置等に設けられた記憶領域であり、通常ディレクトリ形式でデータファイルを記憶する。また、コンテンツデータが複数のデータファイルから構成される場合において、複数のデータファイル相互にハイパーリンクが張られることが想定される。この場合においては、コンテンツ記憶手段に記憶される複数のコンテンツデータファイル同士の記憶場所（アドレス）の関係と、ウェブサーバーにアップロードされたときの複数のコンテンツデータファイル同士の記憶場所（アドレス）の関係とが維持されるように記憶されることが望ましい。すなわち少なくとも複数のコンテンツデータファイル同士の相対パスが、クライアント端末装置にあるときとウェブサーバーにアップロードされたときとで一致するように記憶される。
【００４３】
次に本発明のシステムは、前記データ項目ごとの所定の記憶領域に記憶されたコンテンツデータを編集するコンテンツデータ編集手段を備えている。
前記コンテンツデータ編集手段は、テキストデータ、画像データ、音声データ、動画像データを編集可能にされている。コンテンツデータ編集手段は、クライアント端末装置において動作するコンテンツ編集プログラムが備えるコンテンツデータ編集機能により実現される。コンテンツデータ編集機能は、ＨＴＭＬファイルエディタ機能、画像データ編集機能、音声データ編集機能、動画像データ編集機能などを備えることが望ましい。また、クライアント端末装置において動作するコンテンツ編集プログラムから起動することができるように、連携して動作する、他のＨＴＭＬファイルエディタプログラム、画像データ編集プログラム、音声データ編集プログラム、動画像データ編集プログラム等により実現されるものであってもよい。
図５は編集画面の一例であって、テキストデータ、画像データ、音声データ、動画像データを編集可能にされている。
【００４４】
コンテンツデータ編集手段は、好ましくは、前記データ項目ごとのコンテンツデータの編集をするためのデータ項目指定機能を備えている。
たとえば、データ項目１を指定し、これに対応付けられて所定の記憶領域に記憶されるコンテンツデータ１を指定し、コンテンツデータ１の編集を行った後に記憶する。次いで、データ項目２を指定し、これに対応付けられて所定の記憶領域に記憶されるコンテンツデータ２を指定し、コンテンツデータ２の編集を行った後に記憶する。同様にしてデータ項目ｎを指定し、これに対応付けられて所定の記憶領域に記憶されるコンテンツデータｎを指定し、コンテンツデータｎの編集を行った後に記憶する。
【００４５】
次に本発明のシステムは、前記データ項目ごとの所定の記憶領域に記憶されたコンテンツデータを表示させるコンテンツデータ表示手段を備えている。
コンテンツデータ表示手段は、クライアント端末装置において動作するコンテンツ編集プログラムが備えるコンテンツデータ表示機能により実現される。コンテンツデータの表示は、クライアント端末またはこれに接続されて備えられた外部記憶装置等に既に記憶されているコンテンツデータを選択・指定する際に、コンテンツを表示させる機能、編集中のコンテンツデータを表示させる機能、コンテンツデータの指定や編集を行った後に所定の記憶領域に記憶されたコンテンツデータを表示させる機能を備えることが望ましい。また、音声データや動画像データの場合には、音声出力などの再生機能を備えることが望ましい。
【００４６】
コンテンツデータ表示手段は、好ましくは、前記データ項目ごとのコンテンツデータの表示をさせるためのデータ項目指定機能を備えている。
たとえば、データ項目１を指定し、これに対応付けられて所定の記憶領域に記憶されているコンテンツデータ１を指定し、コンテンツデータ１の表示または再生を行うことができる。また、データ項目２を指定し、これに対応付けられて所定の記憶領域に記憶されているコンテンツデータ２を指定し、コンテンツデータ２の表示または再生を行うことができる。また、データ項目ｎを指定し、これに対応付けられて所定の記憶領域に記憶されているコンテンツデータｎを指定し、コンテンツデータｎの表示または再生を行うことができる。
【００４７】
次に本発明のシステムは、あらかじめ複数の所定データ項目に関連付けて記憶させるコンテンツデータをサーバー装置にアップロードのための設定条件として記憶する設定条件記憶手段を備えている。
設定条件記憶手段に記憶される、あらかじめ設定されたデータ項目の設定条件は、複数のデータ項目について適合性のあることを自動的に判定するために設定され記憶される、少なくとも法令に定められた要件に基づくチェック項目の適合性判定条件、または規則に定められた要件に基づくチェック項目の適合性判定条件を含むものである。
設定条件のより具体的な一例は、少なくとも前記不動産取引関連法規に定められた要件に基づくチェック項目の適合性判定条件を含むものである。
また、別の具体的な一例は、少なくとも前記消費者保護法令に定められた要件に基づくチェック項目の適合性判定条件を含むものである。
また、別の具体的な一例は、少なくとも前記広告表記規制法令に定められた要件に基づくチェック項目の適合性判定条件を含むものである。
【００４８】
設定条件としては、下記のような種類を設定することができる。
（１）法令または規則に定められた要件に基づく、必要なコンテンツデータがあるかどうかといった、コンテンツデータファイルの有無のチェック項目。
なお、規則には法令に基づく規則、施行規則、施行令、通達、指導などのほか、業界における規則、自主規制、特定の事業者が定めた規則、自主規制、その他の各種規則を含むことができる。また、これらの規則ごとに、それぞれチェック項目を判定することができる。
（２）法令または規則に定められた要件に基づく、必要なコンテンツデータ内の記載事項があるかどうかといった、コンテンツデータファイル内における必要な記載事項の有無のチェック項目。
なお、あるか、ないか、といった有無チェックのほか、いくつあるかといった数量チェックや、なくてもよい要件であるがあるかどうか、といったチェックを行うようにすることができる。また、前記の規則ごとに、それぞれチェック項目を判定することができる。
【００４９】
（３）法令または規則に定められた要件に基づく、禁止事項であるコンテンツデータがないかどうかといった、要件違反コンテンツデータファイルの有無のチェック項目。
なお、法令等により絶対的に禁止されている事項のほか、絶対的な禁止ではない自主規制や、あるいは禁止事項に該当するか否か判定が微妙ではあるが禁止事項に該当するおそれがあるといった、絶対禁止、自主禁止、禁止事項のおそれ、等の複数段階のチェック項目を判定することもできる。
（４）法令または規則に定められた要件に基づく、禁止事項であるコンテンツデータ内の記載禁止事項がないかどうかといった、コンテンツデータファイル内における記載禁止事項の有無のチェック項目。
記載内容自体の判定を行うチェック項目であり、たとえば禁止用語・禁止用法、不適切な用語、不適切な表現方法、その他の判定を行うためのものである。
【００５０】
（５）法令または規則に定められた要件に基づく、コンテンツデータ内の記載事項が、要件に適合しているかどうかといった、コンテンツデータファイル内における記載事項の適合性判断のチェック項目。
記載内容自体の判定を行うチェック項目であり、上記禁止事項以外の様々な適合性を判定するためのものである。たとえば法令・規則等の要件ばかりではなく、画像データの解像度、データファイルの作成後経過機関、データの記載文字数やデータ容量などの形式的なものであってもよい。
【００５１】
（６）法令または規則に定められた要件に基づく、コンテンツデータ内の複数の記載事項が、相互に矛盾していないか、あるいは複数の記載事項相互の記載内容を判定すれば法令・規則等の要件違反となることが判定される場合など、複数の記載事項同士による適合性判断のチェック項目。
（７）その他の各種チェック項目。
【００５２】
次に本発明のシステムは、前記コンテンツデータ記憶領域に記憶されたコンテンツデータが、あらかじめ設定されたデータ項目の設定条件を満たしているか否かを判定する設定条件判定手段を備えている。
前述した設定条件記憶手段に記憶される設定条件は、上記の様々なチェック項目を記憶したデータベースとして記憶され、設定条件判定手段は、当該データベースに記憶された設定条件を参照して、各チェック項目に該当するか否かを判定する。
あらかじめ設定されたデータ項目の設定条件を満たしているか否かの判定は、データ項目を指定し、次いでコンテンツデータを指定または編集し、コンテンツデータ記憶手段に記憶させた際に判定を行うようにしてもよい。
また、データ項目を指定し、次いでコンテンツデータを指定または編集し、次いで次のデータ項目やコンテンツデータを指定または編集しようとする際に、判定が行われるようにしてもよい。
また、編集中あるいはコンテンツデータ記憶手段への記憶後に、ユーザーの操作により任意の時点でチェックを行い判定を行うようにしてもよい。
また、コンテンツデータをサーバー装置にアップロードしようとした際に、判定を行うようにしてもよい。
【００５３】
設定条件判定手段が判定したチェック結果は、あらかじめ設定されたデータ項目の設定条件に対応付けられて、チェック結果データベースとして記憶されることが好ましい。より好ましくは、チェック結果は、どのデータ項目が適合性を有しないか、あるいは適合性に疑念があるか、あるいはどの法令または規則に関して適合性を有しないまたはその疑念があるか、といったチェック結果を併せて記憶することが望ましい。
【００５４】
さらに、これらのチェック結果を、あらかじめ設定されたデータ項目の設定条件を満たしているか否かの判定を行った際、または判定を行った後のいずれかの時点で、クライアント端末において表示させることが望ましい。
設定条件判定手段が、あらかじめ設定された前記設定条件を満たしていないと判定した場合には、満たされていない設定条件に含まれるデータ項目を判定し表示する。
また、さらに望ましい形態は、設定条件判定手段が、あらかじめ設定された前記設定条件を満たしていないと判定した場合には、満たされていない設定条件に含まれるデータ項目をごとのコンテンツデータの編集をするためのコンテンツ編集画面を表示するものである。すなわち、設定条件判定手段が判定した該当するコンテンツデータファイルあるいはさらにその該当箇所の表示と、当該コンテンツデータファイルを編集するためのコンテンツデータ編集プログラムの起動とが行われる。
【００５５】
次に本発明のシステムは、設定条件判定手段が、あらかじめ設定された前記設定条件を満たしていると判定した場合には、前記データ項目ごとの所定の記憶領域に記憶されたコンテンツデータを、前記端末装置とネットワークを介して接続されたサーバー装置に送信するコンテンツデータ送信手段を備えている。
コンテンツ送信手段は、前記の所定の設定条件を満たしたときにのみアップロード可能にするものである。
コンテンツ送信の際に、あるいは前述したように送信前のいずれかの時点において、設定条件判定手段が判定したチェック結果を参照し、アップロードを許可するか否かを判定し、送信を行う、あるいは行わない。
【００５６】
送信は、チェック結果を参照し、前記要件を満たさないコンテンツデータファイルのみを送信しないで、その他のコンテンツデータファイルは送信されアップロードされるようにしてもよい。
あるいは、チェック結果を参照し、前記要件を満たさないコンテンツデータファイルがある場合には、すべてのコンテンツデータファイルは送信されアップロードされるようにしてもよい。
さらに、チェック結果を参照し、前記要件を満たさないとはいえないが、満たさないおそれがあると判定された場合には、当該コンテンツデータファイルを送信する際に警告表示等を行うようにしてもよい。
【００５７】
以下、本発明の基本的な処理の流れについて説明する。
図９から図１２は、本発明の基本的な処理の流れの一例を示すフローチャートである。なお、ここに示す処理の流れは一例であって、これに限定されるものではなく、様々な応用や変形が可能である。
初めに、図９を参照して環境設定処理の一例について説明する。
クライアント端末において、コンテンツ編集プログラムを起動する（Ｓ１００）。環境設定メニューを選択し（Ｓ１０１）、クライアント端末における記憶領域（コンテンツ記憶手段）であるディレクトリ（フォルダ）などを設定する（Ｓ１０２）。また、アップロードするウェブサーバーのＵＲＬやＦＴＰログインＩＤ、パスワード、ディレクトリ（フォルダ）等のウェブサーバー情報を設定する（Ｓ１０３）。また、設定条件編集メニューを選択し（Ｓ１０４）、入力を可能にするとともにチェックを行うべきデータ項目を指定し（Ｓ１０５）、当該データ項目ごとのチェックに用いる設定条件を指定する（Ｓ１０６）。このとき、特にチェックの必要がないデータ項目を指定できるようにしてもよい。さらにデータ項目がある場合には（Ｓ１０７）、同様にそれぞれのデータ項目について設定条件の指定処理を行う。
【００５８】
次に図１０を参照して、コンテンツデータの編集処理について説明する。
クライアント端末において、コンテンツ編集プログラムを起動する（Ｓ２００）。図５に示されるようなコンテンツ編集画面が表示される（Ｓ２０１）。
複数のデータ項目の中からデータ項目を選択・指定し（Ｓ２０２）、新規コンテンツを作成・編集する場合には図１１に進む。
既存コンテンツを指定した場合には（Ｓ２０３）、コンテンツデータ記憶手段を参照し（Ｓ２０４）、指定したデータ項目に対応するコンテンツデータを選択・指定する（Ｓ２０５）。
コンテンツデータ記憶手段に、指定した当該コンテンツデータと、指定したデータ項目とを対応付けて記憶する（Ｓ２０６）。また、好ましくは、コンテンツデータ編集画面のウィンドウに記憶されたコンテンツのプレビュー画面等を表示させる（Ｓ２０７）。
さらにデータ項目がある場合には（Ｓ２０８）、同様にしてそれぞれのデータ項目ごとに、これに対応付けてコンテンツデータを指定する。
【００５９】
次に図１１を参照すると、コンテンツデータの新規作成画面において、コンテンツのデータ種類（テキスト、画像、動画像、音声、他）を選択する（Ｓ２５０）。データ種類に対応するコンテンツ編集プログラム（orプログラムモジュール）が起動され（Ｓ２５１）、コンテンツ編集画面を表示する（Ｓ２５２）。コンテンツデータ編集ツールを用いて編集、入力、プレビュー等を行い（Ｓ２５３）、編集の結果ＯＫであれば（Ｓ２５４）、図１０に戻り同様にコンテンツデータ記憶手段に、指定した当該コンテンツデータと、指定したデータ項目とを対応付けて記憶する（Ｓ２０６）。
また、既にコンテンツデータ記憶手段に記憶されているコンテンツデータを再編集する場合にも、図１１に示される処理と同様の処理を行う。
【００６０】
次に図１２を参照して、アップロード処理について説明する。
設定条件判定手段が、設定条件記憶手段を参照し、必要なデータ項目の有無をチェックする（Ｓ３００）。該当するデータ項目に対応するコンテンツデータを参照し（Ｓ３０１）、チェック項目に該当する所定の設定条件を満たさないコンテンツデータがあるか否かを判定する（Ｓ３０２）。所定の設定条件を満たさないコンテンツデータがあった場合には、チェック結果データベースに記憶する（Ｓ３５０）。また、当該コンテンツデータまたはコンテンツデータ内に含まれるデータの内容や容量その他の形式などを、設定条件判定の必要に応じチェックする（Ｓ３０３）。チェック項目に該当する所定の設定条件を満たさないコンテンツデータがあるか否かを判定し（Ｓ３０４）、所定の設定条件を満たさないコンテンツデータがあった場合には、チェック結果データベースに記憶する（Ｓ３５０）。
さらにデータ項目がある場合には（Ｓ３０５）、それぞれのデータ項目とこれに対応付けられたコンテンツデータのチェックを行う。
すべてのチェックが終了すると、チェック結果データベースを参照し（Ｓ３０６）、チェック項目の該当、すなわち所定の設定条件を満たさないコンテンツデータがあるか否かを判定し（Ｓ３０７）、所定の設定条件を満たさないコンテンツデータがあった場合には、チェック結果や、該当するコンテンツデータの編集画面等を表示することが望ましい（Ｓ３６０）。
チェック項目の該当、すなわち所定の設定条件を満たさないコンテンツデータがあるか否かを判定し（Ｓ３０７）、所定の設定条件を満たさないコンテンツデータがなかった場合には、アップロード処理の確認画面をするなどして、インターネットに接続し（Ｓ３０８）、あらかじめ設定されたサーバーの記憶領域へのアップロード処理を行う（Ｓ３０９）。
【産業上の利用可能性】
【００６１】
以上詳細に説明したように、本発明によれば、商品やサービスの提供、販売や、ウェブサイト上で有料サービスを提供する場合などにおいて、消費者ユーザーに誤解や、不正確な情報、不公正な情報、一方的に不利な情報などを与えることを防ぐため、法令や各種の規則などによって消費者ユーザーに提示することが義務付けられている情報や、誤った情報や不公正・誇大な情報の掲載を禁止されている情報など、あらかじめアップロード前に厳格なチェックが必要とされているウェブコンテンツをアップロードする前に自動的にチェックされ、アップロードの可否を判定するシステムおよびプログラムを提供することができる。
これにより、ユーザーにとっても、情報を提供する側にとっても、費用や時間、手間などを節約でき便利になるとともに、提供される情報の正確性や、公正さなどを高め信用を得られるようにすることができる。
【図面の簡単な説明】
【００６２】
【図１】本発明のシステムの基本的な構成の一例を示すシステム構成図である。
【図２】プログラムをダウンロード、または情報記憶媒体で提供可能にした概要の一例を示す図である。
【図３】コンテンツ編集機能と、さらにコンテンツ表示・閲覧機能コンテンツ編集プログラムとを備えたプログラムの概要を示す図である。
【図４】コンテンツ編集プログラムの実施形態の好ましい一例を示す画面イメージ図である。
【図５】コンテンツ編集プログラムの実施形態の好ましい一例を示す画面イメージ図である。
【図６】コンテンツ編集プログラムの実施形態の好ましい一例を示す画面イメージ図である。
【図７】コンテンツ編集プログラムの実施形態の好ましい一例を示す画面イメージ図である。
【図８】コンテンツ編集プログラムの実施形態の好ましい一例を示す画面イメージ図である。
【図９】本発明の基本的な処理の流れの一例を示すフローチャートである。
【図１０】本発明の基本的な処理の流れの一例を示すフローチャートである。
【図１１】本発明の基本的な処理の流れの一例を示すフローチャートである。
【図１２】本発明の基本的な処理の流れの一例を示すフローチャートである。
【図１】
2005326974.tif 000003
【図９】
2005326974.tif 000004
【図１０】
2005326974.tif 000005
【図１１】
2005326974.tif 000006
【図２】
2005326974.tif 000007
【図３】
2005326974.tif 000008
【図４】
2005326974.tif 000009
【図５】
2005326974.tif 000010
【図６】
2005326974.tif 000011
【図７】
2005326974.tif 000012
【図８】
2005326974.tif 000013
【図１２】
2005326974.tif 000014